(57)【要約】【課題】配線取出部のシールドパターンへのクラックの発生を抑制可能なタッチパネルを提供する。【解決手段】タッチパネル１はセンサ部１ａから突出する配線取出部１ｂを備え、配線取出部１ｂは、透明基材１０と、透明基材１０の表面１０ａ上に形成された第１の引出配線パターン３１と、第１の引出配線パターン３１を覆うように第１の主面１０ａ上に設けられた絶縁層４０と、絶縁層４０上に設けられ、第１の引出配線パターン３１を電磁的にシールドするシールドパターン５０と、を備えており、シールドパターン５０は、メッシュ形状５２を有している。【選択図】  図１２
2014071864.tif 000002
【特許請求の範囲】
【請求項１】
センサ部から突出する配線取出部を備えた静電容量型のタッチパネルであって、
前記配線取出部は、
第１の基材と、
前記第１の基材の第１の主面上に形成された第１の配線パターンと、
前記第１の配線パターンを覆うように前記第１の主面上に設けられた絶縁層と、
前記絶縁層上に設けられ、前記第１の配線パターンを電磁的にシールドするシールドパターンと、を備えており、
前記シールドパターンは、メッシュ形状を有していることを特徴とするタッチパネル。
【請求項２】
請求項１に記載のタッチパネルであって、
前記シールドパターンのメッシュ形状は、
前記第１の配線パターンの延在方向に対して傾斜するように相互に並行に設けられた複数の第１の線条部と、
前記第１の配線パターンの延在方向に対して傾斜するように相互に並行に設けられた複数の第２の線条部と、を有し、
前記第１の線条部と前記第２の線条部とは交差していることを特徴とするタッチパネル。
【請求項３】
請求項１又は２に記載のタッチパネルであって、
前記配線取出部は、前記第１の主面上に形成された第２の配線パターンをさらに備え、
前記シールドパターンは、前記絶縁層に形成された開口を介して前記第２の配線パターンと接続されていることを特徴とするタッチパネル。
【請求項４】
請求項１〜３の何れかに記載のタッチパネルであって、
前記第１の基材は、前記センサ部が有する透明基材と同一の基材であり、
前記第１の配線パターンは、前記センサ部まで延在して、前記センサが有する検出電極パターンに接続されており、
前記絶縁層及び前記シールドパターンは、前記センサ部まで延在して前記第１の配線パターンを覆っていることを特徴とするタッチパネル。
【発明の詳細な説明】
【技術分野】
【０００１】
本発明は、静電容量型のタッチパネルに関するものである。
【背景技術】
【０００２】
静電容量型のタッチパネルとして、透明電極及び引出線が形成された基体と、この基体に圧着されたフレキシブルプリント基板と、を備え、フレキシブルプリント基板は、基体上の引出線に接続されていると共に、基体の導出孔に挿入され湾曲しているものが知られている（例えば特許文献１参照）。
【先行技術文献】
【特許文献】
【０００３】
【特許文献１】特開２０１１−５９８３４号公報
【発明の概要】
【発明が解決しようとする課題】
【０００４】
上記のフレキシブルプリント基板にいわゆるベタパターンを付加することでノイズの低減を図ることができる。しかしながら、フレキシブルプリント基板を屈曲させた際に、当該ベタパターンにクラックが発生してしまうという問題がある。
【０００５】
本発明が解決しようとする課題は、配線取出部のシールドパターンへのクラックの発生を抑制可能なタッチパネルを提供することである。
【課題を解決するための手段】
【０００６】
［１］本発明に係るタッチパネルは、センサ部から突出する配線取出部を備えた静電容量型のタッチパネルであって、前記配線取出部は、第１の基材と、前記第１の基材の第１の主面上に形成された第１の配線パターンと、前記第１の配線パターンを覆うように前記第１の主面上に設けられた絶縁層と、前記絶縁層上に設けられ、前記第１の配線パターンを電磁的にシールドするシールドパターンと、を備えており、前記シールドパターンは、メッシュ形状を有していることを特徴とする。
【０００７】
［２］上記発明において、前前記シールドパターンのメッシュ形状は、前記第１の配線パターンの延在方向に対して傾斜するように相互に並行に設けられた複数の第１の線条部と、前記第１の配線パターンの延在方向に対して傾斜するように相互に並行に設けられた複数の第２の線条部と、を有し、前記第１の線条部と前記第２の線条部とは交差していていてもよい。
【０００８】
［３］上記発明において、前記配線取出部は、前記第１の主面上に形成された第２の配線パターンをさらに備え、前記シールドパターンは、前記絶縁層に形成された開口を介して前記第２の配線パターンと接続されていてもよい。
【０００９】
［４］上記発明において、前記第１の基材は、前記センサ部が有する透明基材と同一の基材であり、前記第１の配線パターンは、前記センサ部まで延在して、前記センサが有する検出電極パターンに接続されており、前記絶縁層及び前記シールドパターンは、前記センサ部まで延在して前記第１の配線パターンを覆っていてもよい。
【発明の効果】
【００１０】
本発明では、配線取付部のシールドパターンがメッシュ形状となっているので、配線取付部を屈曲させた際のシールドパターンへのクラックの発生を抑制することができる。
【図面の簡単な説明】
【００１１】
【図１】図１は、本発明の実施形態におけるタッチパネルの平面図である。
【図２】図２は、図１のII-II線に沿った断面図である。
【図３】図３は、本発明の実施形態における透明基材を示す平面図である。
【図４】図４は、図３の透明基材に検出電極パターンを形成した状態を示す平面図である。
【図５】図５は、図４の透明基材に第１及び第２の引出配線パターンを形成した状態を示す平面図である。
【図６】図６は、図５の第１及び第２の引出配線パターンの端部に保護層を形成した状態を示す平面図である。
【図７】図７は、図６の透明基材の上に絶縁層を形成した状態を示す平面図である。
【図８】図８は、図７の絶縁層の上にシールドパターンを形成した状態を示す平面図である。
【図９】図９は、本発明の実施形態におけるカバーパネルを示す平面図である。
【図１０】図１０は、本発明の実施形態におけるタッチパネルの変形例を示す断面図である。
【図１１】図１１は、図８のXI-XI線に沿った断面図である。
【図１２】図１２は、図８のXII部の拡大図である。
【発明を実施するための形態】
【００１２】
以下、本発明の実施形態を図面に基づいて説明する。
【００１３】
図１は本実施形態におけるタッチパネルの平面図、図２は図１のII-II線に沿った断面図である。また、図３〜図９は本実施形態におけるタッチパネルを分解した平面図である。
【００１４】
本実施形態におけるタッチパネル１は、自己容量方式の静電容量センサ（タッチセンサ、入力装置）であり、図１及び図２に示すように、透明基材１０と、検出電極パターン２０と、引出配線パターン３１，３２と、絶縁層４０と、シールドパターン５０と、透明粘着層６０と、カバーパネル７０と、を備えている。
【００１５】
透明基材１０は、可視光線が透過可能であると共に可撓性を有する基板である。この透明基材１０を構成する材料の具体例としては、例えば、ポリエチレンテレフタレート（ＰＥＴ）、ポリエチレンナフタレート（ＰＥＮ）、ポリエチレン（ＰＥ）、ポリプロピレン（ＰＰ）、ポリスチレン（ＰＳ）、エチレン−酢酸ビニル共重合樹脂（ＥＶＡ）、ビニル系樹脂、ポリカーボネート（ＰＣ）、ポリアミド（ＰＡ）、ポリイミド（ＰＩ）、ポリビニルアルコール（ＰＶＡ）、アクリル樹脂、トリアセチルセルロース（ＴＡＣ）等の樹脂材料等を例示することができる。
【００１６】
この透明基材１０の表面１０ａには、図２及び図５に示すように、検出電極パターン２０と、引出配線パターン３１，３２と、が形成されている。また、本実施形態では、この透明基材１０の表面１０ａに、図３に示すような３つの領域１１〜１３が設定されている。
【００１７】
具体的には、第１の領域１１は矩形形状を有し、第２の領域１２は、その第１の領域１１を取り囲む矩形枠形状を有し、第３の領域１３は、第２の領域１２の第１の短辺１２１から外側に向かって突出する矩形形状を有している。なお、本実施形態における透明基材１０の表面１０ａが、本発明における透明基材の第１の主面の一例に相当する。
【００１８】
そして、検出電極パターン２０は、図４に示すように、透明基材１０の第１の領域１１に設けられている。この検出電極パターン２０は、例えば、酸化インジウム錫（ＩＴＯ）や導電性高分子から構成された透明電極であり、本実施形態では、第１の領域１１を８つに分割する矩形状のベタパターン（面状のパターン）から構成されている。なお、検出電極パターン２０の形状、数、レイアウト等は上記に限定されない。
【００１９】
検出電極パターン２０をＩＴＯで構成する場合には、例えば、スパッタリング、フォトリソグラフィ、及びエッチングによって形成する。一方、検出電極パターン２０を導電性高分子で構成する場合には、ＩＴＯの場合と同様のスパッタリング等に代えて、スクリーン印刷やグラビアオフセット印刷等の印刷法や、コーティングした後にエッチングを行うことによって形成することもできる。
【００２０】
検出電極パターン２０を構成する導電性高分子の具体例としては、例えば、ポリチオフェン系、ポリピロール系、ポリアニリン系、ポリアセチレン系、ポリフェニレン系等の有機化合物を例示することができるが、この中でもＰＥＤＯＴ／ＰＳＳ化合物を用いることが好ましい。
【００２１】
一方、第１及び第２の引出配線パターン３１，３２（いわゆる額縁配線）は、図５に示すように、透明基材１０の第２の領域１２と第３の領域１３に設けられている。この引出配線パターン３１，３２は、例えば、導電性ペーストを透明基材１０上に印刷して硬化させることで形成されており、こうした導電性ペーストとしては、例えば、銀（Ａｇ）ペーストや銅（Ｃｕ）ペーストを用いることができる。
【００２２】
本実施形態では、図５に示すように、透明基材１０上に８本の第１の引出配線パターン３１が形成されている。当該８本の第１の引出配線パターン３１は、８つの検出電極パターン２０にそれぞれ対応している。それぞれの第１の引出配線パターン３１は、その一端で検出電極パターン２０に接続され、第２の領域１２の外縁に沿って第３の領域１３まで引き延ばされており、当該第１の引出配線パターン３１の他端３１１が第３の領域１３の端部近傍に位置している。
【００２３】
これに対し、第２の引出配線パターン３２は、透明基材１０の第２の領域１２の外縁に沿って延在していると共に、その一方の端部３２１が第３の領域１３の端部近傍まで引き延ばされている。なお、この第２の引出配線パターン３２は、後述するシールドパターン５０をコネクタに電気的に接続するためのＧＮＤ用の配線パターンとして機能する。
【００２４】
なお、上述の検出電極パターン２０を、引出配線パターン３１，３２と同様に、導電性ペーストを透明基材１０上に印刷して硬化させることで形成してもよい。この場合には、十分な光透過性を確保するために、それぞれの検出電極パターン２０をメッシュ状に形成する。メッシュパターンの線幅を１μｍ〜２０μｍ、好ましくは５μｍ〜１０μｍとし、メッシュパターンの厚さを０．１μｍ〜２０μｍ、好ましくは１〜５μｍとすることが好ましい。
【００２５】
さらに、全てのパターン２０，３１，３２を同じ組成の導電性ペーストで形成する場合には、これらのパターン２０，３１，３２を同時に印刷することができ、工程の削減を図ることができる。
【００２６】
図２及び図６に示すように、第３の領域１３上に位置する引出配線パターン３１，３２の端部３１１，３２１は、特に図示しないコネクタが嵌合するため、導電性を有する保護層３５によって覆われている。この導電性の保護層３５は、例えば、引出配線パターン３１，３２の端部３１１，３２１の上にカーボンペーストを印刷して硬化させることで形成されている。
【００２７】
なお、引出配線パターン３１，３２と嵌合するコネクタは、特に図示しないタッチパネル駆動回路に接続されている。このタッチパネル駆動回路は、例えば、検出電極パターン２０に所定の電圧を周期的に印加し、操作者の指がいずれかの検出電極パターン２０に接近した際に生じる静電容量の変化を検出し、その検出結果に基づいてタッチパネル１上における指の接触位置を判別する。
【００２８】
因みに、本実施形態のタッチパネル１において第１及び第２の領域１１，１２に対応する部分は、静電容量の変化を検出するセンサ部１ａを構成しており、タッチパネル１において第３の領域１３に対応する部分は、センサ部１ａから配線を取り出すための配線取出部１ｂ（いわゆるテール部）を構成している（図１参照）。そして、この配線取出部１ｂは、例えば、携帯電話等の電子機器の筺体内にタッチパネル１が組み込まれる際に、コネクタに接続された状態で折り曲げられる。
【００２９】
本実施形態では、配線取出部１ｂの基材が、センサ部１ａの透明基材１０と同一の基材であるので、これらが別々に構成されている場合と比較して、耐久性や接続信頼性が向上する。
【００３０】
絶縁層４０は、図２及び図７に示すように、第１及び第２の引出配線パターン３１，３２を覆うように、透明基材１０の第２及び第３の領域１２，１３上に形成されている。検出電極パターン２０は絶縁層４０の中央開口４１から露出しており、保護層３５も絶縁層４０の端部から露出している。この絶縁層４０は、例えば、樹脂材料を印刷して硬化させることで形成されており、絶縁層４０を形成する樹脂としては、例えば、アクリル系樹脂等の電気絶縁性を有する樹脂材料を例示することができる。
【００３１】
本実施形態では、図７に示すように、絶縁層４０において第２の領域１２の角部に対応する部分に小開口４２が形成されている。後述するように、この小開口４２は、この絶縁層４０上に形成されるシールドパターン５０と、透明基材１０上に形成された第２の引出配線パターン３２とを電気的に導通させるための貫通孔である。
【００３２】
ここで、図６に示すように、矩形枠状の第２の領域１２において、第１の引出配線パターン３１は、第３の領域１３が突出する第１の短辺１２や長辺１２２，１２３上に設けられており、第１の短辺１２１に対向する第２の短辺１２４上には設けられていない。
【００３３】
そこで、本実施形態では、絶縁層４０の小開口４２をこの第２の短辺１２４に配置することで、透明基材１０上のスペースを有効活用している。なお、小開口４２の位置は第２の短辺１２４上であれば特に限定されず、例えば、小開口４２を第２の短辺１２４の略中央に配置してもよい。
【００３４】
また、同図に示すように、透明基材１０の第２の領域１２には第１の引出配線パターン３１が通過しない角部（同図に示す例では、長辺１２２（又は１２３）と第２の短辺１２４との間の角部）が存在している。そこで、本実施形態では、その角部に絶縁層４０の小開口４２を配置することで、透明基材１０上のスペースを有効活用している。
【００３５】
また、本実施形態では、絶縁層４０の小開口４２を介して、シールドパターン５０を第２の引出配線パターン３２に接続しているので、検出電極パターン２０とシールドパターン５０を同一面１０ａ上で外部に接続することができ、接続作業性や接続信頼性の向上を図ることができる。
【００３６】
なお、絶縁層４０Ｂを可視光線が透過可能な透明な材料で構成した場合には、図１０に示すように、第１の領域１１も含めた透明基材１０全体に絶縁層４０Ｂを形成することができる。図１０は本実施形態におけるタッチパネルの変形例を示す断面図である。
【００３７】
シールドパターン５０は、図２及び図８に示すように、絶縁層４０の上に形成された導電層であり、絶縁層４０を介して第１の引出配線パターン３１を電磁的にシールドしている。なお、検出電極パターン２０は、シールドパターン５０の中央開口５５から露出している。
【００３８】
このシールドパターン５０は、例えば、絶縁層４０上に導電性ペーストを印刷して硬化させることで形成されている。シールドパターン５０を形成するための導電性ペーストの具体例としては、例えば、カーボンペーストを例示することができる。特に、テール部１ｂの十分な耐屈曲性を確保する観点から、ポリエステル樹脂をバインダとしたカーボンペーストを用いることが好ましい。
【００３９】
このシールドパターン５０は、図８に示すように、第２の領域１２上に形成されたペタパターン５１と、第３の領域１３上に形成されたメッシュパターン５２と、を有している。このシールドパターン５０は、図１１に示すように、上述の絶縁層４０の小開口４２を介して、第２の引出配線パターン３２に接続されている。図１１は図８のXI-XI線に沿った断面図である。
【００４０】
本実施形態におけるメッシュパターン５２は、図１２に示すように、相互に実質的に並行に設けられた複数の第１の線条部５３と、相互に実質的に並行に設けられた複数の第２の線条部５４と、を備えており、第１及び第２の線条部５３，５４が相互に交差することで格子形状が形成されている。図１２は図８のXII部の拡大図である。
【００４１】
いずれの線条部５３，５４も、第１及び第２の引出配線パターン３１，３２の延在方向（図中左右方法）に対して傾斜するように絶縁層４０上に形成されている。いずれの線条部５３，５４も、０．１〜５ｍｍの線幅、好ましくは０．３〜０．７ｍｍの線幅を有しており、０．５〜１０ｍｍのピッチ（中心間距離）、好ましくは２〜４ｍｍのピッチを有している。
【００４２】
本実施形態では、ベタパターン５１によって第１の引出配線パターン３１を電磁的にシールドすることで、操作者の指が第１の引出配線パターン３１に接近してもタッチパネル１の誤動作の発生を抑制することができる。つまり、操作者の指がセンサ部１ａの額縁エリアに触れてもタッチパネルが誤動作し難くなっており、タッチパネル１の検出精度の向上が図られている。
【００４３】
一方、メッシュパターン５２によって、第１の引出配線パターン３１を電磁的にシールドすることで、外部から第１の引出配線パターン３１へのノイズの流入の低減が図られている。
【００４４】
また、シールドパターン５０においてテール部１ｂに対応する部分５２を、ベタパターンに代えて、メッシュ形状とすることで、テール部１ｂを屈曲させた際に、シールドパターン５０にクラックが発生するのを抑制することができる。
【００４５】
さらに、本実施形態では、図１２に示すように、メッシュパターン５２の第１及び第２の線条部５３，５４が、第１及び第２の引出配線パターン３１，３２に対して傾斜しているので、シールド効果の均一化を図ると共に、メッシュパターン５０に加わる応力を効率的に分散することができる。
【００４６】
カバーパネル７０は、図２に示すように、透明粘着層６０を介して透明基材１０に貼り付けられた透明基板であり、可視光線が透過することが可能となっている。このカバーパネル７０を構成する材料の具体例としては、例えば、ガラス、ポリメチルメタクリレート（ＰＭＭＡ）、ポリカーボネート（ＰＣ）等を例示することができる。
【００４７】
図２及び図９に示すように、このカバーパネル７０の裏面には、例えば黒色のインクを塗布することで形成された遮蔽部７１が設けられている。この遮蔽部７１は、カバーパネル７０の裏面において中央の矩形領域７２を除いた部分に形成されている。
【００４８】
このカバーパネル７０は、矩形領域７２が検出電極パターン２０に対向するように、透明粘着層６０を介して透明基材１０に貼り付けられており、上述の枠形状の遮蔽部７１によって、絶縁層４０やシールドパターン５０が隠蔽されている。なお、透明粘着層６０の具体例としては、例えば、アクリル系粘着剤を例示することができる。
【００４９】
また、本実施形態では、図２に示すように、透明粘着層６０がシールドパターン５０と重ならないように、透明粘着層６０の外縁がシールドパターン５０の中央開口５５の内縁よりも内側に位置しており、これにより、シールドパターン５１とカバーパネル７０との間に空気層６５が形成されている。
【００５０】
この空気層６５によって、第１の引出配線パターン３１とカバーパネル７０との間の誘電率が低くなっているので、操作者の指が第１の引出配線パターン３１に接近した際のタッチパネルの誤動作の発生を抑制することができる。
【００５１】
また、シールドパターン５０とカバーパネル７０との間に空気層６５が介在していることで、透明基材１０の第２の領域１２を背面側に折り曲げて使用することもできる。この場合には、第１の引出配線パターン３１とカバーパネル７０との間の間隔が広がるので、タッチパネルの誤動作の発生を一層抑制することができる。
【００５２】
本実施形態における透明基材１０が本発明における第１の基材の一例に相当し、本実施形態における第１の引出配線パターン３１が本発明における第１の配線パターンの一例に相当し、本実施形態における第２の引出配線パターン３２が本発明における第２の配線パターンの一例に相当し、本実施形態における小開口４２が本発明における開口の一例に相当する。
【００５３】
なお、以上に説明した実施形態は、本発明の理解を容易にするために記載されたものであって、本発明を限定するために記載されたものではない。したがって、上記の実施形態に開示された各要素は、本発明の技術的範囲に属する全ての設計変更や均等物をも含む趣旨である。
【００５４】
例えば、上述の実施形態では自己容量式のタッチパネルに本発明を適用した例について説明したが、特にこれに限定されず、相互容量方式のタッチパネルに本発明を適用してもよい。
【００５５】
この場合にはシールドパターン５０のベタパターン５１が不要となるので、メッシュパターン５２と第２の引出配線パターン３２とを電気的に導通させるための小開口４２を第３の領域１３に形成する
【符号の説明】
【００５６】
１…タッチパネル
１ａ…センサ部
１ｂ…配線取出部
１０…透明基材
１０ａ…表面
１１…第１の領域
１２…第２の領域
１２１…第１の短辺
１２２，１２３…長辺
１２４…第２の短辺
１３…第３の領域
２０…検出電極パターン
３１…第１の引出配線パターン
３１１…端部
３２…第２の引出配線パターン
３２１…端部
３５…保護層
４０，４０Ｂ…絶縁層
４１…中央開口
４２…小開口
５０…シールドパターン
５１…ベタパターン
５２…メッシュパターン
５３…第１の線条部
５４…第２の線条部
５５…中央開口
６０…透明粘着層
６５…空気層
７０…カバーパネル
７１…遮蔽部
７２…矩形領域
【図１】
2014071864.tif 000003
【図２】
2014071864.tif 000004
【図３】
2014071864.tif 000005
【図４】
2014071864.tif 000006
【図５】
2014071864.tif 000007
【図６】
2014071864.tif 000008
【図７】
2014071864.tif 000009
【図８】
2014071864.tif 000010
【図９】
2014071864.tif 000011
【図１０】
2014071864.tif 000012
【図１１】
2014071864.tif 000013
【図１２】
2014071864.tif 000014